(57)【要約】【課題】通信装置にＯＴＤＲ機能を付加することにより、運用コストを低減する。【解決手段】通信装置１は、複数のスロットおよびバックプレーン基板４０を有する。スロットは、モジュールが装着される。バックプレーン基板は、スロットが接続される。モジュールは、少なくともラインカード２０、管理モジュール１０、ＷＤＭモジュール３０、およびＯＴＤＲモジュール１５を有する。ラインカード２０は、フレームの中継を行う。管理モジュール１０は、スロットに装着されるモジュールを管理する。ＷＤＭモジュール３０は、光伝送網である光ファイバとの通信インタフェースを有し、波長分割多重を行う。ＯＴＤＲモジュール１５は、ＷＤＭモジュールに接続される光ファイバの伝送損失を測定する。【選択図】図１
2017129377.tif 000002
【特許請求の範囲】
【請求項１】
モジュールが装着される複数のスロットと、
複数の前記スロットが接続されるバックプレーン基板と、
を有し、
前記モジュールは少なくとも、
フレームの中継を行う少なくとも１つのラインカードと、
前記スロットに装着される前記モジュールを管理する管理モジュールと、
光伝送網である光ファイバとの通信インタフェースを有し、波長分割多重を行うＷＤＭモジュールと、
前記ＷＤＭモジュールに接続される前記光ファイバの伝送損失を測定する測定モジュールと、を有する、通信装置。
【請求項２】
請求項１記載の通信装置において、
前記測定モジュールは、
前記光ファイバの伝送損失を測定する測定機能部と、
前記測定機能部が測定した結果から測定情報を生成して出力する制御部と、
前記バックプレーン基板との通信インタフェースであり、前記測定情報を前記バックプレーン基板に出力するバックプレーン通信部と、
を有する、通信装置。
【請求項３】
請求項２記載の通信装置において、
前記管理モジュールは、管理端末が接続される通信網との通信インタフェースであり、前記ラインカードから取得した前記ラインカードの管理情報を前記通信網に送信する通信部を有し、
前記通信部は、前記測定モジュールが前記バックプレーン基板に送信した前記測定情報を、前記管理モジュールが有する前記ラインカードから出力される管理データを管理制御する管理制御部を経由することなく前記通信網に転送する、通信装置。
【請求項４】
請求項３記載の通信装置において、
前記制御部は、前記伝送損失が設定された損失判定しきい値よりも大きくなると、前記光ファイバの断線が発生したと判定してアラートを生成し、
前記バックプレーン通信部は、前記制御部が生成したアラートを前記バックプレーン基板に送信する、通信装置。
【請求項５】
請求項４記載の通信装置において、
前記管理モジュールは、管理端末が接続される通信網との通信インタフェースであり、前記ラインカードから取得した前記ラインカードの管理情報を前記通信網に送信する通信部を有し、
前記通信部は、前記測定モジュールが前記バックプレーン基板に送信した前記アラートを前記通信網に転送する、通信装置。
【発明の詳細な説明】
【技術分野】
【０００１】
本発明は、通信装置に関し、特に、複数のモジュールを搭載可能な通信装置におけるＯＴＤＲ（Optical Time Domain Reflectmeter）機能の付加に有効な技術に関する。
【背景技術】
【０００２】
ＬＡＮ（Local Area Network）規格の１つであるイーサネット（登録商標）などの通信を長距離伝送する際には、通信装置として伝送装置、いわゆるメディアコンバータが広く用いられている。
【０００３】
この種の伝送装置においては、複数のスロットを有し、それらのスロットに各モジュールを挿抜して装着可能な構成からなるシャーシ形の伝送装置、いわゆる集合形伝送装置が知られている。
【０００４】
この集合形伝送装置を用いて構築されたネットワークは、例えば光回線からなり、該光回線における光線路の保守用測定器として、例えば光パルス試験装置であるＯＴＤＲが広く使われている。
【０００５】
ＯＴＤＲは、例えば光ファイバの損失、接続点までの距離と接続損失、接続点にて生じた反射量、および光ファイバが破断した場合の破断点までの距離などを測定する。
【０００６】
なお、この種の伝送装置における保守技術としては、例えばイーサネットＯＡＭの疎通性監視機能に対する耐障害性を向上するシャーシ形のネットワーク中継装置（例えば、特許文献１参照）や、煩雑な初期設定作業を不要とし、試験の実施コストの増加を抑制する光ファイバ監視装置（例えば特許文献２参照）などがある。
【先行技術文献】
【特許文献】
【０００７】
【特許文献１】特開２０１４−１９５１４７号公報
【特許文献２】特開２０１１−６９６７９号公報
【発明の概要】
【発明が解決しようとする課題】
【０００８】
上述したＯＴＤＲによる光ファイバの保守技術には、以下に述べる２通りの技術がある。
【０００９】
第１の技術としては、伝送装置が設置されている現地に作業者が出向いて、ＯＴＤＲを対象の光ファイバに接続することにより、光ファイバの劣化度を測定するものである。この場合、ＯＴＤＲを対象の光ファイバに接続するために一旦回線の運用を休止したり、作業者が現地に出向く移動コストや時間などが発生してしまう。
【００１０】
また、第２の技術としては、例えばＳＮＭＰ（Simple Network Management Protocol）等の技術を使ったＯＴＤＲの遠隔監視である。ＳＮＭＰは、ルータやコンピュータ、端末など様々な機器をネットワーク経由にて監視、制御するプロトコルである。
【００１１】
しかし、この場合は、ＯＴＤＲに遠隔監視用の機能を搭載する必要があり、装置サイズが大きくなったり、コストが増加することになる。また、使用中の回線（主回線)にＯＴＤＲ用の試験信号をそのまま流すことできないため、主回線そのものを監視できないことに加え、監視用の光ファイバ回線を設ける必要があり、運用コストが増加してしまうという問題がある。
【００１２】
本発明の目的は、通信装置における運用コストを低減させることのできる技術を提供することにある。
【００１３】
本発明の前記ならびにその他の目的と新規な特徴については、本明細書の記述および添付図面から明らかになるであろう。
【課題を解決するための手段】
【００１４】
本願において開示される発明のうち、代表的なものの概要を簡単に説明すれば、次のとおりである。
【００１５】
すなわち、代表的な通信装置は、複数のスロットおよびバックプレーン基板を有する。スロットは、モジュールを装着する。バックプレーン基板には、複数のスロットが接続される。
【００１６】
モジュールは少なくとも、１つのラインカード、管理モジュール、ＷＤＭモジュール、および測定モジュールを有する。
【００１７】
ラインカードは、フレームの中継を行う。管理モジュールは、スロットに装着されるモジュールを管理する。ＷＤＭモジュールは、光伝送網である光ファイバとの通信インタフェースを有し、波長分割多重を行う。測定モジュールは、ＷＤＭモジュールに接続される光ファイバの伝送損失を測定する。
【００１８】
また、測定モジュールは、測定機能部、制御部、およびバックプレーン通信部を有する。測定機能部は、光ファイバの伝送損失を測定する。制御部は、測定機能部が測定した結果から測定情報を生成して出力する。バックプレーン通信部は、バックプレーン基板との通信インタフェースであり、測定情報をバックプレーン基板に出力する。
【００１９】
特に、管理モジュールは、管理端末が接続される通信網との通信インタフェースであり、ラインカードから取得したラインカードの管理情報を通信網に送信する通信部を有する。
【００２０】
通信部は、測定モジュールがバックプレーン基板に送信した測定情報を、管理モジュールが有するラインカードから出力される管理データを管理制御する管理制御部を経由することなく通信網に転送する。
【発明の効果】
【００２１】
本願において開示される発明のうち、代表的なものによって得られる効果を簡単に説明すれば以下のとおりである。
【００２２】
通信装置における運用コストを低減することができる。
【図面の簡単な説明】
【００２３】
【図１】実施の形態における通信システムによる構成の一例を示す説明図である。
【図２】図１の通信システムが有する通信装置に装着されるＯＴＤＲモジュールにおける構成の一例を示す説明図である。
【図３】図２のＯＴＤＲ機能部による光ファイバにおける測定の概要を示す説明図である。
【図４】断線が発生した際のＯＴＤＲ波形の一例を示す説明図である。
【図５】ＯＴＤＲモジュールが測定した測定情報を管理モジュールに転送する際のデータの流れの一例を示す説明図である。
【図６】図５をより簡略化したデータ転送の一例を示した説明図である。
【発明を実施するための形態】
【００２４】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００２５】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００２６】
さらに、以下の実施の形態において、その構成要素（要素ステップ等も含む）は、特に明示した場合および原理的に明らかに必須であると考えられる場合等を除き、必ずしも必須のものではないことは言うまでもない。
【００２７】
同様に、以下の実施の形態において、構成要素等の形状、位置関係等に言及するときは特に明示した場合および原理的に明らかにそうではないと考えられる場合等を除き、実質的にその形状等に近似または類似するもの等を含むものとする。このことは、上記数値および範囲についても同様である。
【００２８】
また、実施の形態を説明するための全図において、同一の部材には原則として同一の符号を付し、その繰り返しの説明は省略する。
【００２９】
〈通信システムの構成例〉
図１は、本実施の形態における通信システムによる構成の一例を示す説明図である。
【００３０】
通信システムは、図１に示すように、通信装置１、および管理端末２を有する。
【００３１】
通信装置１は、利用者網４および光伝送網５に接続されている。通信装置１および管理端末２は、管理用の通信網３に接続されている。通信網３は、ＩＰ網などである。通信装置１と管理端末２は、通信網３を介さずに直接的に有線接続または無線接続されてもよい。
【００３２】
通信装置１は、ＷＤＭ（波長分割多重：Wavelength Division Multiplexing）を行う伝送装置である。通信装置１は、管理モジュール１０、ＯＴＤＲモジュール１５、ラインカード２０、ＷＤＭモジュール３０、バックプレーン基板４０、およびスロット５０を有する。
【００３３】
通信装置１は、シャーシ型の伝送装置からなり、複数のスロット５０を備えている。各スロット５０には、モジュールが挿抜により装着可能になっている。スロット５０に装着されたモジュールは、バックプレーン基板４０と電気的に接続され、バックプレーン基板４０の配線を通じて、他のモジュールと接続される。ここで、モジュールは、管理モジュール１０、ＯＴＤＲモジュール１５、ラインカード２０、およびＷＤＭモジュール３０である。
【００３４】
バックプレーン基板４０は、各モジュールを接続するためのコネクタおよびコネクタ間の配線を有する。モジュールの装着時において、スロット５０に挿入されたモジュールのコネクタは、バックプレーン基板４０のコネクタと接続される。バックプレーン基板４０の配線は、管理モジュール１０が各モジュールの管理を行うための通信用の配線を含む。
【００３５】
スロット５０に装着可能なモジュールは、例えば管理モジュール１０、ＯＴＤＲモジュール１５、ラインカード２０、およびＷＤＭモジュール３０などである。図１では、複数のスロット５０として、スロットＳＬ１，ＳＬ２，……，ＳＬｘを有している。
【００３６】
通信装置１のスロット５０の識別子としては、スロット番号を用いる。例えば、スロット番号が１であるスロット５０をスロットＳＬ１で示す。図１では、スロットＳＬ１に管理モジュール１０が装着されており、スロットＳＬ２には、ＯＴＤＲモジュール１５が装着されており、スロットＳＬ３には、ラインカード２０が装着されており、スロットＳＬｘには、ＷＤＭモジュール３０が装着されている例を示している。
【００３７】
バックプレーン基板４０には、図示しない電源部などが接続されている。電源部は、各モジュールにそれぞれ電力を供給する。
【００３８】
管理モジュール１０は、通信装置１内の各部を管理するためのモジュールである。この管理モジュール１０は、所定のスロット５０に装着され、バックプレーン基板４０と接続される。管理モジュール１０は、通信網３との通信インタフェースを備える。
【００３９】
管理者が操作する管理端末２は、通信網３を通じて、通信装置１にアクセスし、管理モジュール１０との通信が可能である。管理モジュール１０は、バックプレーン基板４０の配線を通じて、各スロット５０およびスロット５０に装着されたモジュールの状態の検知や、各モジュールとの管理用の通信が可能である。管理モジュール１０は、スロット５０にモジュールが挿入されて装着された状態や、スロット５０からモジュールが抜かれて非装着になった状態、各ラインカードや各モジュールの通信状態などを検知する機能を有する。
【００４０】
管理モジュール１０は、通信機能部１１、管理制御部１２、メモリ１３、およびポート１４などを有する。通信部である通信機能部１１は、通信網３との通信インタフェース、および通信装置１内のモジュールとの通信インタフェースを備え、通信処理を行う。
【００４１】
管理制御部１２は、例えばＣＰＵ(Central Processing Unit)などからなり、ソフトウェアプログラム処理に基づいて、所定の管理機能を実現する。メモリ１３は、ＲＯＭ（Read Only Memory）、およびＲＡＭ（Random Access Memory）などを有し、管理制御部１２が使用するプログラムやデータを格納する。ポート１４は、管理用の通信網３に接続される通信ポートである。
【００４２】
測定モジュールであるＯＴＤＲモジュール１５は、通信装置１に接続される光伝送網５である光ファイバの損失、接続点までの距離と接続損失、接続点で生じた反射量、および光ファイバが破断した場合の破断点までの距離などを測定する測定器であり、スロット５０に装着されるモジュールである。ＯＴＤＲモジュール１５と光伝送網５とはＷＤＭモジュール３０を介して接続される。ＯＴＤＲモジュール１５の測定波長とＷＤＭモジュール３０のポート波長は同じλ１に設定され、ＯＴＤＲポート７４とＷＤＭモジュール３０のポート３４とがリンク８１を介して光ファイバで接続される。
【００４３】
ＯＴＤＲモジュール１５による測定結果は、バックプレーン基板４０を経由して管理モジュール１０に入力される。そして、管理モジュール１０に入力された測定結果は、管理端末２に送信される。管理モジュール１０に入力された測定結果は、通信機能部１１によって通信網３に出力される。
【００４４】
ラインカード２０は、利用者網４との通信インタフェースおよびＷＤＭモジュール３０との通信インタフェースを備える通信インタフェースモジュールである。通信装置１における所定数までの複数のスロット５０に、所定数までの複数のラインカード２０が装着可能になっている。各ラインカード２０の利用者網４との通信インタフェースは異なっていてもよい。
【００４５】
ラインカード２０の利用者網４との通信インタフェースは、電気信号を伝送する通信インタフェースでもよいし、光信号を伝送する通信インタフェースでもよい。この通信インタフェースとしては、イーサネットが挙げられる。
【００４６】
ラインカード２０のＷＤＭモジュール３０との通信インタフェースは、光信号を伝送する通信インタフェースである。この通信インタフェースとしては、イーサネットが挙げられる。
【００４７】
ラインカード２０は、ポート２１、通信部２２、およびポート２３を有する。ポート２１は、利用者網４とのリンクに接続される通信ポートである。ポート２３は、ＷＤＭモジュール３０とのリンク８０に接続される通信ポートである。
【００４８】
ラインカード２０のポート２３とＷＤＭモジュール３０のポート３１は、リンク８０として光ファイバで接続される。ポート２３には、接続先のＷＤＭモジュール３０のポート３１のチャネルの波長λ２に合わせた同じ波長λ２が設定される。なお、λ１とλ２は異なる波長である。  通信部２２は、ポート２１を通じて利用者網４との通信を行い、ポート２３を通じてＷＤＭモジュール３０との通信を行う。通信部２２は、例えばＦＰＧＡ（Field Programmable Gate Array）により構成される。
【００４９】
通信部２２は、利用者網４からの電気信号または光信号をポート２１にて受信し、その電気信号または光信号を、ＷＤＭモジュール３０との通信インタフェースに対応した光信号に変換し、その光信号をポート２３から送信する。
【００５０】
通信部２２は、光電変換部２２ａを有する。光電変換部２２ａは、例えば波長可変レーザおよびＡＰＤ（Avalanche photodiode）からなる。波長可変レーザは、利用者網４からの電気信号を光信号に変換する。ＡＰＤは、光伝送網５からの光信号を電気信号に変換する。なお、波長可変レーザは、固定波長を出力するレーザダイオードであってもよく、ＡＰＤは、その他の受光素子であってもよい。
【００５１】
さらに、図１では、光電変換部２２ａを通信部２２に設けた構成としたが、該光電変換部２２ａは、ラインカード２０に設けられていればよく、これに限定されるものではない。
【００５２】
また、通信部２２は、ＷＤＭモジュール３０からの光信号をポート２３で受信し、その光信号を、利用者網４との通信インタフェースに対応した電気信号または光信号に変換し、その電気信号または光信号をポート２１から送信する。
【００５３】
ＷＤＭモジュール３０は、光伝送網５との通信インタフェース、ラインカード２０との通信インタフェース、およびＯＴＤＲモジュール１５との通信インタフェースを備える通信インタフェースモジュールであり、ＷＤＭを行う機能を持つＷＤＭフィルタモジュールである。ＷＤＭモジュール３０の光伝送網５との通信インタフェースは、光信号を伝送する通信インタフェースである。
【００５４】
また、ＷＤＭモジュール３０は、ラインカード２０からの信号とＯＴＤＲモジュール１５からの信号とを合波する。具体的には、ラインカード２０から出力された波長λ２の信号とＯＴＤＲモジュール１５から出力された波長λ１の信号とが合分波部３２によって合波され、ポート３３から出力される。また、光伝送網５からの戻り光のうち波長λ１の成分がＷＤＭモジュール１５を介してＯＴＤＲモジュール３０に入力される。
【００５５】
〈ＯＴＤＲモジュールの構成例〉
図２は、図１の通信システムが有する通信装置１に装着されるＯＴＤＲモジュール１５における構成の一例を示す説明図である。
【００５６】
ＯＴＤＲモジュール１５は、図２に示すように、バックプレーン基板通信機能部７０、制御部７１、メモリ７２、ＯＴＤＲ機能部７３、およびＯＴＤＲポート７４を有する。バックプレーン通信部であるバックプレーン基板通信機能部７０は、図１のバックプレーン基板４０との通信インタフェースである。ＯＴＤＲモジュール１５による測定情報は、バックプレーン基板通信機能部７０により、バックプレーン基板４０を経由して図１の管理モジュール１０に送信される。
【００５７】
制御部７１は、後述するＯＴＤＲ機能部７３が測定した測定情報を任意のデータ形式に変換するとともに、ＯＴＤＲ機能部７３およびバックプレーン基板通信機能部７０の制御を司る。また、制御部７１は、測定情報から光ファイバの劣化度を判定し、大きな劣化や断線などが発生した判定した際に、アラートとなる劣化検出情報を生成して出力する。
【００５８】
メモリ７２は、例えばフラッシュメモリ、あるいはＲＡＭなどの半導体メモリなどからなり、ＯＴＤＲ機能部７３から出力される測定情報、制御部７１が上述した変換した任意のデータ形式などのデータなどを格納する。
【００５９】
測定機能部であるＯＴＤＲ機能部７３は、制御部７１の制御に基づいて、光パルスによるレイリー散乱に基づいて、光ファイバの損失を測定する。すなわち、光ファイバに光パルスを入力し、その戻り光を観測することによって光ファイバの損失を測定する。また、ＯＴＤＲポート７４は、光ファイバに照射する光パルスの出射および光ファイバにおける戻り光が入射されるポートである。
【００６０】
〈ＯＴＤＲ機能部の測定概要〉
図３は、図２のＯＴＤＲ機能部７３による光ファイバＯＦにおける測定の概要を示す説明図である。
【００６１】
図３（ａ）は、光ファイバＯＦにおける光パルスの測定例を示しており、図３（ｂ）は、図３（ａ）による測定情報の一例を示している。
【００６２】
ＯＴＤＲ機能部７３は、図示しないレーザダイオードを有している。レーザダイオードは、波長可変に対応しており、他の通信装置とＷＤＭモジュール３０によって合波される。光ファイバの測定の際には、図３（ａ）に示すように、光ファイバＯＦの片端からレーザダイオードが照射する光パルスＰを入射する。
【００６３】
そして、その光ファイバＯＦの長手方向の各点にて反射されて入射端に戻ってくる光パワーの距離分布を解析することによって測定が行われる。具体的には、光ファイバＯＦに照射した光パルスＰである出射光Ｐ１の戻り光Ｐ２を観測することによって、時間と光強度を計算する。
【００６４】
その計算から求められた結果から図３（ｂ）に示すＯＴＤＲ波形を生成して、該ＯＴＤＲ波形のデータを測定情報として出力する。時間と光強度は、言い換えれば距離と損失である。ここで、ＯＴＤＲ波形を生成するのではなく、計算結果を測定情報として出力するようにしてもよい。
【００６５】
また、制御部７１は、メモリ７２に格納されている測定情報、すなわちＯＴＤＲ波形を図１の管理端末２が表示することのできるデータ形式、例えばＣＳＶ形式のデータなどに変換してバックプレーン基板通信機能部７０に出力する。
【００６６】
〈劣化検出情報の生成例〉
続いて、制御部７１による劣化検出情報の生成について説明する。
【００６７】
図４は、断線が発生した際のＯＴＤＲ波形の一例を示す説明図である。
【００６８】
この図４においては、実線は、光ファイバに断線が発生していない場合のＯＴＤＲモジュール１５による測定結果であるリファレンス曲線を示しており、点線は、断線が発生した際のＯＴＤＲモジュール１５による測定結果を示している。
【００６９】
図４では、点線に示すように、４０ｋｍ〜５０ｋｍの間におけるある地点にて光ファイバの断線が発生したことを示している。よって、断線箇所に該当する距離では、信号レベル、すなわち損失が急激に大きくなっている。
【００７０】
制御部７１は、予め設定された距離毎にＯＴＤＲ機能部７３の測定結果と損失判定しきい値とを比較する。損失判定しきい値は、例えばＯＴＤＲモジュール１５のメモリ７２には、損失判定しきい値が格納されている。この損失判定しきい値は、光ファイバのそれぞれ距離に対する信号レベルの下限を示すものである。
【００７１】
よって、制御部７１は、メモリ７２から読み出し、予め設定された距離毎にＯＴＤＲ機能部７３の測定結果と損失判定しきい値とを比較する。そして、測定した信号レベルが損失判定しきい値を下回ると、すなわち光ファイバの損失が設定された値よりも大きくなると、光ファイバに断線などが発生したと判定する。
【００７２】
光ファイバに断線などが発生したと判定した際、制御部７１は、劣化検出情報を生成して出力する。出力された劣化検出情報は、測定情報としてバックプレーン基板４０を経由して管理モジュールに出力される。
【００７３】
図４においては、例えば４０ｋｍを過ぎたところまでは、光ファイバの信号レベルが損失判定しきい値より大きいことを示している。しかし、４５ｋｍ程度の地点では、急激に光ファイバの信号レベルが低下しており、該信号レベルが損失判定しきい値よりも小さくなっている。ここで、図４では、損失判定しきい値を太線にて示している。
【００７４】
よって、５０ｋｍ程度の地点において、制御部７１が光ファイバの信号レベルと損失判定しきい値とを比較した際には、光ファイバの信号レベルが損失判定しきい値よりも小さくなっている。これにより、制御部７１は、光ファイバに断線などが発生したと判定して劣化検出情報を生成して測定情報として出力する。
【００７５】
〈測定情報の転送例〉
続いて、ＯＴＤＲモジュール１５が測定した測定情報の転送例について説明する。
【００７６】
図５は、ＯＴＤＲモジュール１５が測定した測定情報を管理モジュール１０に転送する際のデータの流れの一例を示す説明図であり、図６は、図５をより簡略化したデータ転送の一例を示した説明図である。
【００７７】
図５および図６において、実線は、ＯＴＤＲモジュール１５が測定した測定情報が管理モジュール１０に転送される際のデータ転送経路をそれぞれ示しており、点線は、ラインカード２０から出力される管理データが管理モジュール１０に転送される際のデータ転送経路をそれぞれ示している。管理データは、ラインカード２０を管理する管理情報である。
【００７８】
まず、管理データにおけるデータの流れについて説明する。
【００７９】
ラインカード２０から出力される管理データは、図５および図６の点線に示すように、バックプレーン基板４０を介して管理モジュール１０の通信機能部１１に入力される。その後、管理データは、通信機能部１１から管理制御部１２を介してメモリ１３に一旦格納される。
【００８０】
管理制御部１２は、メモリ１３に格納された管理データのうち、必要なデータを該メモリ１３から読み出し、読み出したデータが通信機能部１１からポート１４を介して通信網３などに出力されるように制御を行う。
【００８１】
一方、ＯＴＤＲモジュール１５が測定した測定情報は、図５および図６の実線に示すように、該ＯＴＤＲモジュール１５からバックプレーン基板４０を介して管理モジュール１０の通信機能部１１に入力される。
【００８２】
通信機能部１１は、入力された測定情報を通信網３に出力する。このとき、通信機能部１１は、管理制御部１２によるデータ管理の制御が行われることなく、測定情報を通信網３に出力する処理を行う。
【００８３】
このように、ＯＴＤＲモジュール１５が測定した測定情報を通信機能部１１がそのまま通信網３に出力することによって、管理モジュール１０の管理制御部１２による制御を不要としている。これによって、管理制御部１２の負荷が増加することを防止することができる。すなわち、管理制御部１２の処理能力の低下を防止することができる。
【００８４】
その結果、通信装置１のパフォーマンスを低下させることなく、ＯＴＤＲモジュール１５が測定した測定情報を管理端末２に転送することが可能となる。
【００８５】
また、通信機能部１１は、管理制御部１２を介することなく、入力された測定情報を直接通信網３に転送するので、メモリ１３のメモリ容量の増加を抑えることができる。測定情報をメモリ１３に格納する場合には、該メモリ１３に管理データを格納する容量に加えて、測定情報を格納する容量も必要となるからである。
【００８６】
管理制御部１２を介して測定情報を転送する際には、図５および図６の点線に示すラインカード２０のデータ転送時と同様に、一旦メモリ１３に測定情報を格納する必要がある、しかし、管理制御部１２を介することなく測定情報を転送する場合には、図５および図６の実線に示すように、メモリ１３への測定情報の格納が不要となる。
【００８７】
これにより、メモリ資源の消費拡大を防止することができる。このことにより、メモリ１３の容量アップを不要とすることができ、容量の大きなメモリを新たに設けることによる通信装置１のコストアップなどを回避することができる。また、メモリ１３への測定情報の格納が不要となることによって、メモリに格納する動作やその処理時間が不要となるので、測定情報の出力遅延を防止することができる。
【００８８】
制御部７１から出力される劣化検出情報についても、測定情報と同様の転送経路によって転送される。管理端末２は、劣化検出情報を受信すると、例えばアラームなどの発報や該管理端末２のモニタに光ファイバの断線が発生した旨の警告画面などを表示する。このとき、管理端末２は、ＣＳＶ形式のデータに変換されたＯＴＤＲ波形を取得し、例えば図４に示すような波形などを表示するようにしてもよい。
【００８９】
これによって、どの地点で光ファイバの断線などが発生したかを容易に判定することができるようになり、光ファイバの監視効率を向上させることができる。
【００９０】
以上により、通信装置１のパフォーマンスやコストを低下させることなく、ＯＴＤＲモジュール１５を該通信装置１に装着することができる。
【００９１】
また、通信装置１が有するスロットにＯＴＤＲモジュール１５を装着することができるので、バックプレーン基板４０を大型化することなく、ＯＴＤＲ機能を持たせることができる。これは、通信装置１の大型化の防止に貢献することができる。
【００９２】
さらに、通信装置１にＯＴＤＲモジュール１５を装着することによって、通信装置が設置されている現地に出向く移動コストや現地での接続作業などを不要とすることができる。また、遠隔監視の場合に必要である監視用回線の新たに構築などを不要とすることができ、運用コストの増加を抑えることができる。
【００９３】
例えばＯＴＤＲを通信装置が有するバックプレーン基板などのプリント基板に実装する構成とした場合には、該プリント配線基板にＯＴＤＲを実装する物理的なスペースが必要となる。その結果、プリント基板が大面積化してしまうことになり、それに伴い、通信装置が大型化してしまう恐れがある。
【００９４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００９５】
なお、本発明は上記した実施の形態に限定されるものではなく、様々な変形例が含まれる。例えば、上記した実施の形態は本発明を分かりやすく説明するために詳細に説明したものであり、必ずしも説明した全ての構成を備えるものに限定されるものではない。
【００９６】
また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換をすることが可能である。
【符号の説明】
【００９７】
１…通信装置、２…管理端末、３…通信網、４…利用者網、５…光伝送網、１０…管理モジュール、１１…通信機能部、１２…管理制御部、１３…メモリ、１５…ＯＴＤＲモジュール、２０…ラインカード、２２…通信部、２２ａ…光電変換部、３０…ＷＤＭモジュール、４０…バックプレーン基板、５０…スロット、６０…制御部、７０…バックプレーン基板通信機能部、７１…制御部、７２…メモリ、７３…ＯＴＤＲ機能部、７４…ＯＴＤＲポート。
【図１】
2017129377.tif 000003
【図２】
2017129377.tif 000004
【図３】
2017129377.tif 000005
【図４】
2017129377.tif 000006
【図５】
2017129377.tif 000007
【図６】
2017129377.tif 000008